(57)【要約】【課題】種類の異なる被保持部に対応すること。【解決手段】実施形態に係るシャワーハンガーは、シャワーヘッドの被保持部の外周面と接触する保持面を備える。保持面は、第１の面と、第２の面と、第３の面とを備える。第１の面は、鉛直線に対して傾斜している。第２の面は、第１の面の上方において鉛直線に対して第１の面よりも急傾斜している。第３の面は、第１の面の下方において鉛直線に対して第１の面よりも緩傾斜している。【選択図】図４
2020026645.tif 000002
【特許請求の範囲】
【請求項１】
シャワーヘッドの被保持部の外周面と接触する保持面を備え、
前記保持面は、
鉛直線に対して傾斜している第１の面と、
前記第１の面の上方において鉛直線に対して前記第１の面よりも急傾斜している第２の面と、
前記第１の面の下方において鉛直線に対して前記第１の面よりも緩傾斜している第３の面と
を備えることを特徴とするシャワーハンガー。
【請求項２】
前記第２の面は、鉛直方向について前記第１の面よりも狭い幅に形成されることを特徴とする請求項１に記載のシャワーハンガー。
【発明の詳細な説明】
【技術分野】
【０００１】
開示の実施形態は、シャワーハンガーに関する。
【背景技術】
【０００２】
従来、浴室などの壁面においてシャワーヘッドを保持するシャワーハンガーが知られている（たとえば、特許文献１参照）。シャワーハンガーは、たとえば、シャワーヘッドの筒状の基端部であり給水ホースとの接続部（以下、「被保持部」という）が引っ掛けられることで、シャワーヘッドを保持する。
【先行技術文献】
【特許文献】
【０００３】
【特許文献１】特開２００２−７００９７号公報
【発明の概要】
【発明が解決しようとする課題】
【０００４】
ここで、シャワーヘッドの被保持部は、たとえば、国内外の規格の違いや製造メーカーの違いにより複数の形状があり、具体的には、国や製造メーカーごとに外周面の傾斜角度が異なる。しかしながら、従来のシャワーハンガーは、種類の異なる被保持部に対応するものではなかった。
【０００５】
実施形態の一態様は、種類の異なる被保持部に対応することができるシャワーハンガーを提供することを目的とする。
【課題を解決するための手段】
【０００６】
実施形態の一態様に係るシャワーハンガーは、シャワーヘッドの被保持部の外周面と接触する保持面を備え、前記保持面は、鉛直線に対して傾斜している第１の面と、前記第１の面の上方において鉛直線に対して前記第１の面よりも急傾斜している第２の面と、前記第１の面の下方において鉛直線に対して前記第１の面よりも緩傾斜している第３の面とを備えることを特徴とする。
【０００７】
かかる構成によれば、第１、第２および第３の３つの面で傾斜角度が異なるため、種類の異なる被保持部に対応することができる。
【０００８】
具体的には、たとえば、ある種類の被保持部が途中で傾斜角度が変わるような外形の場合、すなわち、２つの傾斜角度を有する外形の場合は、たとえば、第２の面と第３の面とがそれぞれ被保持部の外周面に対して面接触する。また、別の種類の被保持部が上記した被保持部とは角度が異なる１つの傾斜角度を有する外形の場合、たとえば、第１の面が外周面に対して面接触する。これにより、上記した２種類の被保持部（すなわち、２種類のシャワーヘッド）に対してがたつきを抑えながら保持することができる。
【０００９】
また、前記第２の面は、鉛直方向について前記第１の面よりも狭い幅に形成されることを特徴とする。
【００１０】
かかる構成によれば、たとえば、ある種類の被保持部が第１の面に対応するものは、広い幅の第１の面によって保持し、これとは別の種類の被保持部については、狭い幅の第２の面によって保持するとともに第３の面によっても保持することができ、２種類の被保持部（２種類のシャワーヘッド）に対してそれぞれがたつきを抑えることができる。
【発明の効果】
【００１１】
実施形態の一態様によれば、種類の異なる被保持部に対応することができる。
【図面の簡単な説明】
【００１２】
【図１】図１は、シャワーヘッドを保持したシャワーハンガーの斜視図である。
【図２】図２は、シャワーヘッドを保持したシャワーハンガーの正面図である。
【図３】図３は、種類の異なる被保持部の説明図である。
【図４】図４は、保持面の説明図である。
【図５】図５は、保持面および被保持部の接触状態の説明図である。
【発明を実施するための形態】
【００１３】
以下、添付図面を参照して、本願の開示するシャワーハンガーの実施形態を詳細に説明する。なお、以下に示す実施形態によりこの発明が限定されるものではない。
【００１４】
図１および図２を参照してシャワーヘッド１およびシャワーハンガー１０について説明する。図１は、シャワーヘッド１を保持したシャワーハンガー１０の斜視図である。図２は、シャワーヘッド１を保持したシャワーハンガー１０の正面図である。なお、図１および図２には、説明の便宜上、鉛直上向きを正方向とするＺ軸を含む３次元の直交座標系を図示している。直交座標系は、他の図にも図示している。
【００１５】
直交座標系は、Ｘ軸の正方向を「左方」と規定し、Ｘ軸の負方向を「右方」と規定し、Ｙ軸の正方向を「前方」と規定し、Ｙ軸の負方向を「後方」と規定している。また、直交座標系は、Ｚ軸の正方向を「上方」と規定し、Ｚ軸の負方向を「下方」と規定している。このため、以下の説明では、Ｘ軸方向を左右方向、Ｙ軸方向を前後方向、Ｚ軸方向を上下方向という場合がある。
【００１６】
＜シャワーヘッド１＞
図１および図２に示すように、シャワーヘッド１は、吐水部２と、把持部３と、被保持部４とを備える。吐水部２は、吐水面２１を備える。吐水面２１には、複数の吐水孔２１ａが形成される。吐水部２は、水栓から供給される湯水を吐水孔２１ａから吐出する。把持部３は、使用者がシャワーヘッド１を使用する場合に手で持つ部位であり、たとえば、円筒状に形成される。
【００１７】
吐水部２と把持部３とは、シャワーヘッド１の外観を構成する。図１および図２に示す例では、吐水部２と把持部３とが一体形成されているが、これに限定されず、吐水部２と把持部３とが別体であってもよい。被保持部４は、後述するシャワーハンガー１０に保持される部位であり、把持部３の吐水部２とは反対側の端部（基端部）に設けられる。
【００１８】
被保持部４は、シャワーヘッド１の基端部であり、水栓から延びる給水ホース５との接続部である。被保持部４は、円筒状であり、把持部３側となる基端側よりも給水ホース５側となる先端側の方が径が小さい先細り形状に形成される。被保持部４には、先細り形状においても複数の形状がある。
【００１９】
＜被保持部４＞
ここで、図３を参照して被保持部４についてさらに説明する。図３は、種類の異なる被保持部４の説明図であり、（ａ）には、第１種類の被保持部４１の模式的な正面図を示し、（ｂ）には、第２種類の被保持部４２の模式的な正面図を示している。なお、図３には、被保持部４の一例を示している。
【００２０】
図３に示すように、被保持部４には、たとえば、第１種類の被保持部４１と、第２種類の被保持部４２とがある。図３（ａ）に示すように、第１種類の被保持部４１は、把持部３（図１および図２参照）側となる基端側から給水ホース５側となる先端側にかけて正面視において傾斜角度の異なる２つの傾斜面（第１の外周面４１ａおよび第２の外周面４１ｂ）を外周面に備える。
【００２１】
第１の外周面４１ａは、基準線となる鉛直線Ｌとの間の角度（傾斜角度）が後述する第２の外周面４１ｂにおける鉛直線Ｌとの間の角度よりも大きい。すなわち、第１の外周面４１ａは、第２の外周面４１ｂよりも急傾斜である。ここで、鉛直線Ｌとの間の角度がより大きい場合を「急傾斜」といい、鉛直線Ｌとの間の角度がより小さい場合を「緩傾斜」という。
【００２２】
第２の外周面４１ｂは、第１の外周面４１ａから先端側に連続し、上記したように、第１の外周面４１ａが第２の外周面４１ｂよりも急傾斜であることから第１の外周面４１ａよりも緩傾斜である。第２の外周面４１ｂは、鉛直線Ｌとの間の角度が０度、すなわち、図中において垂直面であってもよい。なお、第１種類の被保持部４１には、たとえば、第１の外周面４１ａの傾斜角度が、５．７度、第２の外周面４１ｂの傾斜角度が、０度のものがある。
【００２３】
図３（ｂ）に示すように、第２種類の被保持部４２は、把持部３（図１および図２参照）側となる基端側から給水ホース５側となる先端側にかけて正面視において所定の傾斜角度の１つの傾斜面（外周面４２ａ）を備える。
【００２４】
外周面４２ａは、基準線となる鉛直線Ｌとの間の角度（傾斜角度）が、上記した第１種類の被保持部４１の第１の外周面４１ａの傾斜角度よりも小さく、第２の外周面４１ｂの傾斜角度よりも大きい。すなわち、外周面４２ａは、第１の外周面４１ａよりも緩傾斜であり、第２の外周面４１ｂよりも急傾斜である。なお、第２種類の被保持部４２には、たとえば、外周面４２ａの傾斜角度が、３．０度のものがある。
【００２５】
＜シャワーハンガー１０＞
図１および図２に戻り、シャワーハンガー１０は、浴室などの壁面Ｗにおいてシャワーヘッド１を保持する。シャワーハンガー１０は、１つまたは複数が、壁面Ｗにおける任意の位置に取り付けられる。シャワーハンガー１０は、本体部１１と、保持面１２と、取付部１３とを備える。本体部１１は、矩形箱状であり、前部が上下方向に切り欠かれた形状である。
【００２６】
保持面１２は、本体部１１の前部の切り欠き部分に形成される。保持面１２は、シャワーヘッド１をシャワーハンガー１０が保持している状態で被保持部４の外周面と接触する。なお、保持面１２については、図４を用いて後述する。
【００２７】
取付部１３は、本体部１１の後部（たとえば、後面）に設けられる。取付部１３は、たとえば、本体部１１の後面から後方の突出しているネジである。取付部１３は、壁面Ｗに対して螺合することで、本体部１１を壁面Ｗに取り付ける。なお、本体部１１および保持面１２は、たとえば、ＰＰ（ポリプロピレン）、ＰＯＭ（ポリアセタール）、ＡＢＳ樹脂のような外観性が良好となる樹脂材料を用いることが好ましい。
【００２８】
＜保持面１２＞
次に、図４および図５を参照して保持面１２についてさらに説明する。図４は、保持面１２の説明図である。なお、図４には、保持面１２を含むシャワーハンガー１０の模式的な正面断面図を示している。
【００２９】
図５は、保持面１２および被保持部４１，４２の外周面４１ａ，４１ｂ，４２ａとの接触状態の説明図である。なお、図５には、保持面１２を含むシャワーハンガー１０の模式的な正面断面図を示し、（ａ）には第１種類の被保持部４１の第１の外周面４１ａおよび第２の外周面４１ｂとの接触状態を示し、（ｂ）には第２種類の被保持部４２の外周面４２ａとの接触状態を示している。
【００３０】
図４に示すように、保持面１２は、第１の面１２１と、第２の面１２２と、第３の面１２３とを備える。なお、第１〜第３の面１２１〜１２３は、上下方向に連続し、保持面１２全体を構成する。また、第１〜第３の面１２１〜１２３は、左右方向において前方から後方、後方から前方へ湾曲している面である。
【００３１】
第１の面１２１は、基準線となる鉛直線Ｌに対して傾斜している。すなわち、第１の面１２１は、鉛直線Ｌとの間において所定の傾斜角度を有する。第２の面１２２は、第１の面１２１の上方に形成される。第２の面１２２は、鉛直線Ｌに対して第１の面１２１よりも急傾斜している。
【００３２】
ここで、第１〜第３の面１２１〜１２３においても、上記した被保持部４の外周面と同様、鉛直線Ｌとの間の角度がより大きい場合を「急傾斜」といい、鉛直線Ｌとの間の角度がより小さい場合を「緩傾斜」という。第３の面１２３は、第１の面１２１の下方に形成される。第３の面１２３は、鉛直線Ｌに対して第１の面１２１よりも緩傾斜している。
【００３３】
第１の面１２１は、上記した第２種類の被保持部４２の外周面４２ａ（図３（ｂ）参照）に対応して傾斜角度が設定されている。第１の面１２１は、たとえば、３．０度の傾斜角度に設定されている。
【００３４】
第２の面１２２は、上記した第１種類の被保持部４１の第１の外周面４１ａ（図３（ａ）参照）に対応して傾斜角度が設定されている。第２の面１２２は、たとえば、５．７度の傾斜角度に設定されている。また、第２の面１２２は、鉛直方向（上下方向）の幅ｈ２が第１の面１２１の上下方向の幅ｈ１よりも狭い。
【００３５】
第３の面１２３は、上記した第１種類の被保持部４１の第２の外周面４１ｂ（図３（ａ）参照）に対応して傾斜角度が設定されている。第３の面１２３は、たとえば、０度の傾斜角度に設定されている。
【００３６】
図５（ａ）に示すように、シャワーハンガー１０では、シャワーヘッド１（図１および図２参照）が第１種類の被保持部４１の場合、保持面１２において、第２の面１２２に第１の外周面４１ａが接触し、第３の面１２３に第２の外周面４１ｂが接触する。すなわち、シャワーハンガー１０は、第１種類の被保持部４１の場合には、保持面１２の３つの面１２１〜１２３のうち、第２の面１２２と第３の面１２３とによってシャワーヘッド１を保持する。
【００３７】
また、図５（ｂ）に示すように、シャワーハンガー１０では、シャワーヘッド１が第２種類の被保持部４２の場合、保持面１２において、第１の面１２１に外周面４２ａが接触する。すなわち、シャワーハンガー１０は、第２種類の被保持部４２の場合には、保持面１２の３つの面１２１〜１２３のうち、第１の面１２１のみによってシャワーヘッド１を保持する。
【００３８】
このように、上記した実施形態によれば、第１種類の被保持部４１のように途中で傾斜角度が変わるような外形の場合、すなわち、２つの傾斜角度を有する外形の場合は、２つの傾斜角度に対応する第２の面１２２と第３の面１２３とがそれぞれ被保持部４１の第１の外周面４１ａおよび第２の外周面４１ｂに対して面接触する。
【００３９】
また、第２種類の被保持部４２のように第１種類の被保持部４１とは角度が異なる１つの傾斜角度を有する外形の場合、傾斜角度に対応する第１の面１２１が外周面４２ａに対して面接触する。
【００４０】
これにより、２種類の被保持部４１，４２（すなわち、２種類のシャワーヘッド１）に対してがたつきを抑えながら保持することができる。すなわち、種類の異なる被保持部４１，４２に対応することができる。
【００４１】
また、保持面１２の３つの面のうち１つの面で接触する第１の面１２１の上下方向の幅ｈ１が、第３の面１２３と共に２つの面で接触する第２の面１２２の幅ｈ２よりも広いため、第１の面１２１の接触による場合でもシャワーヘッド１を安定して保持することができる。これにより、２種類の被保持部４１，４２（２種類のシャワーヘッド１）に対してそれぞれがたつきを抑えることができる。
【００４２】
なお、上記した実施形態では、第１〜第３の面１２１〜１２３が上下方向に連続して保持面１２を構成しているが、これに限定されず、たとえば、第１〜第３の面１２１〜１２３がそれぞれ離れていてもよい。すなわち、第１の面１２１と第２の面１２２、第１の面１２１と第３の面１２３との間に隙間があってもよい。このような構成としても、上記した実施形態と同様、２種類の被保持部４１，４２に対してがたつきを抑えながら保持することができ、種類の異なる被保持部４１，４２に対応することができる。
【００４３】
また、上記した実施形態では、３つの面（第１〜第３の面１２１〜１２３）によって保持面１２を構成しているが、これに限定されず、たとえば、４つ以上の面で保持面１２を構成してもよい。このような構成によれば、３種類以上の被保持部（すなわち、３種類以上のシャワーヘッド）に対してもがたつきを抑えながら保持することが可能となる。
【００４４】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００４５】
１    シャワーヘッド
４    被保持部
４１    被保持部（第１種類の被保持部）
４１ａ  外周面（第１の外周面）
４１ｂ  外周面（第２の外周面）
４２    被保持部（第２種類の被保持部）
４２ａ  外周面
１０    シャワーハンガー
１２    保持面
１２１    第１の面
１２２    第２の面
１２３    第３の面
Ｌ    鉛直線
【図１】
2020026645.tif 000003
【図２】
2020026645.tif 000004
【図３】
2020026645.tif 000005
【図４】
2020026645.tif 000006
【図５】
2020026645.tif 000007